(57)【要約】【課題】複数の部屋を換気するにあたり、安価でトイレからの浴室内への臭いの流入や状況に応じた適切な換気ができ、また、騒音を低減することができる浴室空調装置を提供することを目的とする。【解決手段】浴室空調装置の本体１には、換気用送風機３が上段と循環用送風機４が下段に配設され、本体１の浴室１３へ開口した部分は化粧カバー２が取付けられ、換気用送風機は換気モータ３２によって換気ファン３１を駆動して送風し、第１吸気口６から吸気された空気は排気風路９を通って排気口５を通って外側へ排気される。第２吸気口７、第３吸気口８と排気風路９との間には浴室側シャッター１０が配設され、浴室側シャッター１０はシャッターが回転することによって、第２吸気口７、第３吸気口８と排気風路９を閉じたり開いたりする。【選択図】  図１
2004177103.tif 000002
【特許請求の範囲】
【請求項１】
主に浴室の天井や天井裏などに設置され、トイレ空間の部屋に連通して吸気を行う第１吸気口と、洗面空間の部屋に連通して吸気を行う第２吸気口と、浴室空間の部屋に連通して吸気を行う第３吸気口と、前記第１、第２及び第３の吸気口からの空気を換気し屋外には排気する排気口と、前記第１吸気口から前記排気口とが対向して配置された第１風路と、第２及び第３の吸気口から前記第１風路に接続される第２風路と、前記第１風路内の中間部に換気用送風機とを備えた浴室空調装置において、前記第１風路は前記第２風路の上方に配設されるとともに、前記第１風路と前記第２風路との境界部に前記第１風路と前記第２風路との連通を制御する開閉手段を有することを特徴とする浴室空調装置。
【請求項２】
請求項１記載の浴室空調装置において、前記開閉手段は、閉止扉が一端を中心として回動自在に構成され、前記第１風路内の第１吸気口を閉止可能になるように構成されたことを特徴とする浴室空調装置。
【請求項３】
前記浴室空調装置の前記第１吸気口に開閉可能な第１吸気口ダンパーを設けたことを特徴とする請求項１記載から請求項２に記載の浴室空調装置。
【請求項４】
前記浴室空調装置の前記第２吸気口に開閉可能な第２吸気口ダンパーを設けたことを特徴とする請求項１記載から請求項３に記載の浴室空調装置。
【請求項５】
前記浴室空調装置は、前記換気用送風機と前記循環用送風機を略同心軸上に配置し、下段の前記循環用送風機または前記換気用送風機の上部と、上段の前記換気用送風機または前記循環用送風機の下部とを接触しない範囲で接近させて配置したことを特徴とする請求項１記載から請求項４に記載の浴室空調装置。
【発明の詳細な説明】
【０００１】
【発明の属する技術分野】
本発明は、主に浴室などの天井や天井裏などに設置されて、室内の空気を換気するための送風機と複数の部屋から吸気するための吸気口と室外に空気を排気する排気口とを備えた浴室空調装置に関する。
【０００２】
【従来の技術】
従来、この種の浴室空調装置は、装置本体の側面に、複数の吸気口を備え、例えば、浴室、洗面所、トイレの３部屋の換気をそれぞれの吸気口に対応した３個の換気ファンにて換気することにより、浴室内や洗面所内の湿気、トイレ内の臭気を外に排気する、いわゆる換気運転を備えたものが知られている（例えば、特許文献１参照。）。
また上記のように３個のファンを天井面に沿って並列させると、浴室空調装置の取付用開口の大きさに収まらなくなるため、換気用ファンおよび循環用ファンを上下に並べて配設する構成がとられている。この構成により、浴室空調装置のコンパクト化が図られている。
【０００３】
【特許文献１】
特開２００１−１０８２７３号公報
【０００４】
【発明が解決しようとする課題】
しかしながら、上記従来のものでは、トイレと浴室及び洗面所を換気するために夫々に対応する換気ファンをそれぞれの吸気口に対応した数だけ設ける必要があり、大きなファン等の部品占有スペースが必要になる。
そのため、複数個のファンを備えた浴室空調装置を天井等へ取付るためには、浴室空調装置の取付用開口の大きさのみでなく、天井裏等の空隙の大きさに制限があるためにはファンの数を少なくしなければならない。
また、ファンの数を減らして、複数の吸気口に対し一つのファンで換気を行うためには、当然、ファンの送風能力を上げなければならない。そのために回転数を上げることとなり、回転数を上げることにより騒音値が大きくなるので、圧損が少なくする必要もある。
【０００５】
また、複数個の換気ファンを使って共通の排気ダクトから排気していたため、各換気ファンの風量バランスと排気圧損状態によっては、各部屋からの換気がバランスが悪くなり、換気できなくなる部屋ができることがあった。更に居室の室内環境保全のために、ある一定風量以上の換気風量を確保したい場合でも、各換気ファンの風量バランスと排気圧損状態によっては一定の換気風量が確保できずに換気量が不足することがあった。例えば、乾燥運転時に浴室の換気風量を低くするために浴室の換気ファンの風量を減らした場合は、他の換気ファンの風量も風量バランスを保つために減らす必要があり、結果として全体の換気風量が低くなってしまい一定風量以上の換気風量が確保できなくなり室内環境保全ができなくなることがあった。
【０００６】
本発明は、上記課題を解決するためになされたもので、本発明の目的は、複数の部屋を換気するにあたり、安価でトイレからの浴室内への臭いの流入や運転状況に応じた適切な換気ができることで室内環境保全を行い、また、騒音を低減することができる浴室空調装置を提供することにある。
【０００７】
【課題を解決するための手段及び作用・効果】
上記目的を達成するために本発明においては、主に浴室の天井や天井裏などに設置され、トイレ空間の部屋に連通して吸気を行う第１吸気口と、洗面空間の部屋に連通して吸気を行う第２吸気口と、浴室空間の部屋に連通して吸気を行う第３吸気口と、前記第１、第２及び第３の吸気口からの空気を換気し屋外には排気する排気口と、前記第１吸気口から前記排気口とが対向して配置された第１風路と、第２及び第３の吸気口から前記第１風路に接続される第２風路と、前記第１風路内の中間部に換気用送風機とを備えた浴室空調装置において、前記第１風路は前記第２風路の上方に配設されるとともに、前記第１風路と前記第２風路との境界部に前記第１風路と前記第２風路との連通を制御する開閉手段を配設した。
【０００８】
このような構成をとれば、例えば第１吸気口をトイレと連通すれば、トイレからの臭気を屋外に排気する風路と浴室側の吸気口が開閉手段によって分離されているので、トイレの臭いが浴室に流れ込まずに屋外に排気することができる。更に、入浴時にトイレの換気運転を行っても、浴室が換気されないため、浴室空気の入替え等の影響が無く冬場の肌寒さ（コールドドラフト）を防ぐことができる。また、部屋に応じた適切な換気が可能なため、風量を抑えて騒音の低減を図ることが可能になり、静かにリラックスして入浴することができる。
また、限られた設置スペースの中で換気用ファンと循環用ファンを横に並べるよりも、換気用送風機と循環用送風機を上下に配設することで、換気用ファンと循環用ファンの外径寸法を大きくすることができるため、多室換気をするための風量と広い浴室などで空気を循環させるための大風量が確保できるようになる。また、ファンの外径を大きくすることでファンの送風能力が高くなりファンの回転数を下げることができるため、騒音値を下げることができるようになる。また、各部屋の換気運転を１つの換気ファンで行うため、複数の換気ファンで行う場合の風量バランスと排気圧損状態を気にすること無く風量を設定することが可能となる。
【０００９】
また、浴室空調装置の前記開閉手段は、閉止扉が一端を中心として回動自在に構成され、前記第１風路内の第１吸気口を閉止可能になるように構成とすれば、開閉手段のみで第１吸気口を閉じたり、第２・第３吸気口を閉じることができるので簡単な構成でしかも安価に快適な機能が実現できる。例えば、第１吸気口をトイレ、第２吸気口を洗面所とすれば、浴室空調装置の使用状況に合わせて、トイレ単独換気や洗面所と浴室の同時換気またはトイレと洗面所と浴室の３室同時換気ができるようになる。
【００１０】
また、浴室空調装置の第１吸気口に開閉可能な第１吸気口ダンパーを設けるようにすれば、例えば第１吸気口をトイレと第２吸気口を洗面所と連通すれば、浴室と洗面所のみを単独で換気できるようになり、トイレ換気が不要な時は浴室と洗面所のみの換気ができる。また、第１吸気口ダンパーを設けることで浴室内の湿気がトイレに流れ込まないので結露を生じさせずに快適に換気することができ、トイレの臭気が浴室へ流れ込むこともない。
【００１１】
また、浴室空調装置の第２吸気口に開閉可能な第２吸気口ダンパーを設けるようにすれば、例えば第１吸気口をトイレと第２吸気口を洗面所と連通すれば、浴室のみを単独で換気できるようになり浴室内の湿気がトイレまたは洗面所に流れ込まないので結露を生じさせずに快適に換気することができる。
【００１２】
また、浴室空調装置は、換気用送風機と循環用送風機を同心軸上に配置し、下段の循環用送風機または換気用送風機の上部と上段の換気用送風機または循環用送風機の下部を接触しない範囲で接近させて配置することで、上段の換気用送風機または循環用送風機の風路を確保しながら製品全体の高さを低く抑えることができ、製品の施工性が向上する。
【００１３】
【発明の実施の形態】
以下に、本発明の実施の形態を添付図面に基づいて説明する。
図１は、本発明の第１実施形態を示す断面図である。浴室空調装置の本体１には、換気用送風機３が上段と循環用送風機４が下段に配設されている。本体１の浴室１３へ開口した部分は化粧カバー２が取付けられている。
換気用送風機は換気モータ３２によって換気ファン３１を駆動して送風し、第１吸気口６から吸気された空気は排気風路９を通って排気口５を通って外側へ排気される。第２吸気口７、第３吸気口８と排気風路９との間には開閉手段である浴室側ダンパー１０が配設されている。浴室側ダンパー１０はダンパーが回転することによって、第２吸気口７、第３吸気口８と排気風路９を閉じたり開いたりすることができるようになっている。
【００１４】
循環用送風機は循環モータ４２によって循環ファン４１を駆動して送風し、浴室１３の空気を循環風路４３、ヒータ１３を通って再び浴室１３へ戻るようになっている。
暖房運転時は循環用送風機４のみが動作し、浴室１３の空気をヒータ１４にて加熱し再び浴室１３へ戻し浴室１３を暖房することができる。また、乾燥運転時は循環用送風機４が動作し、浴室１３の空気をヒータ１４にて加熱し再び浴室１３へ戻し浴室１３の衣類（図示せず）に温風を当て、同時に浴室側ダンパー１０を開き換気用送風機３も動作させ、浴室１３の湿った空気が排気口５を通じて外へ排気するこてで乾燥運転ができるようにしている。また、換気運転時は浴室側ダンパー１０を開き換気用送風機３を動作させ浴室１３の空気が第３吸気口から吸気され排気口５を通じて外へ排気できるようにしている。この時の換気運転は第１吸気口６、第２吸気口７と第３吸気口８の３箇所から吸気し３室同時換気運転状態となる。また、第１吸気口６のみを単独で換気させるためのスイッチを制御盤（図示せず）または、制御盤とは別のスイッチを設けておき、そのスイッチを操作することで、浴室側ダンパー１０を閉じ換気用送風機３を動作させ第１吸気口６から吸気され排気口５を通じて外へ排気できるようにしている。こうすることで第１吸気口６からのみの単独換気ができるようにしている。
また、浴室側ダンパー１０は開いた状態の回転する角度が調整できるようになっている。換気運転時に浴室側ダンパー１０が開いた状態で、第１吸気口６、第２吸気口７と第３吸気口を３箇所同時に換気している状態で、第１吸気口６のみの換気風量を増減させたい場合や第２吸気口７、第３吸気口８の換気風量を増減させたい場合に浴室側ダンパー１０の回転する角度を調整することにより任意に換気風量を調整できるようになる。
【００１５】
これにより、第２吸気口と第３吸気口からの吸込み風量を調整できるので、全体の換気風量は確保しながら、第２吸気口と第３吸気口の換気風量だけは少なくすることもできるようになる。例えば、ある一定風量を常時換気する設定にして浴室の乾燥運転を行う場合、浴室の換気風量を乾燥運転に適した風量にするためにダンパーの開く角度を狭くして浴室の換気風量を減らして、第１吸気口（例えばトイレ）の換気風量を増やすことで全体の換気風量を一定に保つことができる。
【００１６】
また、浴室側ダンパー１０の回転する角度の調整は、操作版（図示せず）から調整可能としている。
【００１７】
これにより、安易に設定を変更でできるようになる。例えば、浴室空調機を取り付けた状態で現場の状況に応じて風量の設定が操作盤にて調整可能となるため、施工性が向上する。
【００１８】
図２は、本発明の第２実施形態を示す断面図である。第１実施形態と同様に浴室側ダンパー１０が配設されているが、開閉手段である浴室側ダンパー１０は、扉形状であり、扉の一端を中心として回動自在に構成され、前記第１風路内の第１吸気口を閉止可能になるように構成されている。ダンパーが回転することで第２吸気口７、第３吸気口８と排気風路９を閉じたり開いたりすることができるようになっていると同時にさらに回転することで第１吸気口と排気風路９をも閉じたり開いたりできるようにしている。
換気運転時に浴室側ダンパー１０が第２吸気口７、第３吸気口８と排気風路９を閉じた状態にすると第１吸気口６のみの単独換気ができ、第１吸気口６と排気風路９を閉じた状態にすると第２吸気口７と第３吸気口８のみの換気ができるようになる。更に、浴室側ダンパー１０が第２吸気口７、第３吸気口８と排気風路９を開いた状態で第１吸気口６と排気風路９も開いた状態にすると第１吸気口６、第２吸気口７と第３吸気口８の３箇所同時換気とすることができる。
【００１９】
図３は、本発明の第３実施形態を示す断面図である。第１実施形態から更に第１吸気口６と排気風路９との間に開閉手段である第１吸気口ダンパー１１が配設されている。第１吸気口ダンパー１１はダンパーが回転することによって、第１吸気口６と排気風路９を閉じたり開いたりすることができるようになっている。なお、第１吸気口ダンパー１１は第１吸気口６の外側に設けてもよい。
換気運転時に浴室側ダンパー１０を第２吸気口７、第３吸気口８と排気風路９を閉じた状態にし、第１吸気口ダンパー１１を開いた状態にすれば第１吸気口６のみの単独換気ができるようになる。また、換気運転時に浴室側ダンパー１０を第２吸気口７、第３吸気口８と排気風路９を開いた状態にし、第１吸気口ダンパーを閉じた状態にすれば第２吸気口７と第３吸気口８のみの換気ができるようになる。更に換気運転時に浴室側ダンパー１０を第２吸気口７、第３吸気口８と排気風路９を開いた状態にし、第１吸気口ダンパーを開いた状態にすれば第１吸気口６、第２吸気口７と第３吸気口８の３箇所同時換気ができるようになる。
【００２０】
図４は、本発明の第４実施形態を示す断面図である。第３実施形態から更に第２吸気口７と浴室側ダンパー１０との間に開閉手段として第２吸気口ダンパー１２が配設されている。第２吸気口ダンパー１２はダンパーが回転することによって、第２吸気口７と浴室側ダンパー１０を閉じたり開いたりすることができるようになっている。なお、第２吸気口ダンパー１２は第２吸気口７の外側に設けてもよい。
換気運転時に浴室側ダンパー１０を第２吸気口７、第３吸気口８と排気風路９を開いた状態にし第２吸気口ダンパー１２を閉じた状態にすれば第３吸気口８は換気し第２吸気口７は換気を停止した状態になり、浴室側ダンパー１０を第２吸気口７、第３吸気口８と排気風路９を開いた状態にし第２吸気口ダンパー１２を開いた状態にすれば第３吸気口８は換気し第３吸気口７も換気している状態となる。この場合第１吸気口ダンパー１１のダンパーの開閉状態はどちらでもよい。こうすることで、第１吸気口６、第２吸気口７と第３吸気口８の換気状態が任意に調整できるため浴室空調装置を使用する場合に必要な部分の換気が自由にできるようになるため、使い勝手が向上する。
【００２１】
また、浴室側ダンパー１０、第１吸気口ダンパー１１と第２吸気口ダンパー１２を全て取付けておけば使い勝手が向上するがコストは上がるため、浴室側ダンパー１０、第１吸気口ダンパー１１と第２吸気口ダンパー１２はそれぞれ単独で取外し可能な構成としておけば使用者が必要な機能のみを選択できるようになる。
【００２２】
こうすることで、浴室空調装置取り付け現場の要求に応じた機能の製品に容易に対応することが可能となり、取付け現場の要求に応じた安価な製品にできる。
【００２３】
また、浴室空調装置の送風機は排気圧損に応じて換気風量を一定に保つ制御を設ければ、各吸気口からの換気風量を現場の排気配管の長さを気にすることなく施工ができるようになり施工後の風量測定や調整が不要となる。従来ものは換気ファンが複数個あったため換気風量制御が難しかったが、換気ファンをひとつにすることで、換気風量制御も容易に可能となる。
【００２４】
また、浴室空調装置は、排気口を複数個設け排気口位置を選択可能に形成すれば、設置現場のレイアウトに応じた配管工事が可能になり、配管施工を安価に且つ簡単に行うことができる。
【００２５】
また、浴室空調装置は、吸気口を複数個設け吸気口位置を選択可能能に形成すれば、設置現場のレイアウトに応じた配管工事が可能になり、配管施工を安価に且つ簡単に行うことができる。
【００２６】
また、浴室空調装置の第１吸気口の接続口ダクトと第２吸気口の接続口ダクトは、吸気部分の開口位置が異なるようにし、浴室空調装置本体側の吸気開口部を共通にしておけば、第１吸気口専用の接続口ダクトまたは第２吸気口専用の接続口ダクトを取り付けることで、例えば第１吸気口をトイレと第２吸気口を洗面所専用の接続口ダクトとすることが可能となり施工時の配管作業が容易になる。
【００２７】
また、第３吸気口８は循環用送風機４の循環用吸気口４４と吸込み部分を分離するために浴室空調装置の本体１に仕切り板１５が設けられている。こうすることによって乾燥運転時などに換気用送風機３と循環用送風機４が同時に運転する場合にお互いの吸気量によって圧損となり換気風量や循環風量が減少するのを防止することができる。
【００２８】
また、浴室空調装置の浴室に臨むように開口した第３吸気口は、浴室空気を循環するための浴室吸気口とは分離した構造であるようにしておけば、乾燥運転などの場合で浴室循環運転と浴室換気運転を同時に行う影響で各吸気口からの吸入量が減少するのを防止することができる。
【００２９】
図５は、本発明の第５実施形態を示す断面図である。
浴室空調装置の本体１には、換気用送風機３が下段と循環用送風機４が上段に配設されている。本体１の浴室１３へ開口した部分は化粧カバー２が取付けられている。
換気用送風機は換気モータ３２によって換気ファン３１を駆動して送風し、第１吸気口６から吸気された空気は排気風路９を通って排気口５を通って外側へ排気される。第２吸気口７、第３吸気口８と排気風路９との間には浴室側ダンパー１０が配設されている。浴室側ダンパー１０はダンパーが回転することによって、第２吸気口７、第３吸気口８と排気風路９を閉じたり開いたりすることができるようになっている。
循環用送風機は循環モータ４２によって循環ファン４１を駆動して送風し、浴室１３の空気を浴室側ダンパー１０、循環風路４３、ヒータ１３を通って再び浴室１３へ戻るようになっている。
【００３０】
暖房運転時は浴室側ダンパー１０を開き循環用送風機４のみが動作させ、浴室１３の空気を第３吸気口８から吸気しヒータ１４にて加熱し再び浴室１３へ戻し浴室１３を暖房することができる。また、乾燥運転時は浴室側ダンパー１０を開き、循環用送風機４が動作し、浴室１３の空気を第３吸気口８から吸気し浴室１３の空気をヒータ１４にて加熱し再び浴室１３へ戻し浴室１３の衣類（図示せず）に温風を当て、同時に換気用送風機３も動作させ、浴室１３の湿った空気が排気口５を通じて外へ排気するこてで乾燥運転ができるようにしている。
【００３１】
また、換気運転時は浴室側ダンパー１０を開き換気用送風機３を動作させ浴室１３の空気が第３吸気口から吸気され排気口５を通じて外へ排気できるようにしている。この時の換気運転は第１吸気口６、第２吸気口７と第３吸気口８の３箇所から吸気し３室同時換気運転状態となる。また、第１吸気口６のみを単独で換気させるためのスイッチを制御盤（図示せず）または、制御盤とは別のスイッチを設けておき、そのスイッチを操作することで、浴室側ダンパー１０を閉じ換気用送風機３を動作させ第１吸気口６から吸気され排気口５を通じて外へ排気できるようにしている。こうすることで第１吸気口６からのみの単独換気ができるようにしている。
【００３２】
図６は、本発明の第５実施形態を示す断面図である。第１実施形態と同様の構成としているが、換気用送風機３と循環用送風機４を同心軸上に配置することで、下のモータのおしり部の出っ張りと上のモータのファン部のへこみ部がはまり込むので、同軸にしない時より薄くすることができる。
また、下段の送風機の上部と上段の送風機の下部を接触しない範囲で接近させて配置することで、製品全体の高さを低く抑えることができ、製品の施工性が向上する。この場合、上段のモータ３２の先端と下段のモータ４２の上部は距離が少ないが、上段のファン３１と下段の送風機４の間は距離が確保できているので上段の送風機３の送風性能には影響がない。
【図面の簡単な説明】
【図１】本発明の浴室換気装置の第１実施例を示す平面図である。
【図２】本発明の浴室換気装置の第２実施例を示す平面図である。
【図３】本発明の浴室換気装置の第３実施例を示す平面図である。
【図４】本発明の浴室換気装置の第４実施例を示す平面図である。
【図５】本発明の浴室換気装置の第５実施例を示す平面図である。
【図６】本発明の浴室換気装置の第５実施例を示す平面図である。
【符号の説明】
１…本体
２…化粧カバー
３…換気用送風機
３１…換気ファン
３２…換気モータ
４…循環用送風機
４１…循環ファン
４２…循環モータ
４３…循環風路
４４…循環用吸気口
５…排気口
６…第１吸気口
７…第２吸気口
８…第３吸気口
９…排気風路
１０…浴室側ダンパー
１１…第１吸気ダンパー
１２…第２吸気ダンパー
１３…浴室
１４…ヒータ
１５…仕切り板
【図１】
2004177103.tif 000003
【図２】
2004177103.tif 000004
【図３】
2004177103.tif 000005
【図４】
2004177103.tif 000006
【図５】
2004177103.tif 000007
【図６】
2004177103.tif 000008